(57)【要約】【課題】片面、両面を問わず記録媒体が頁順に揃って取り出すことができ、且つ高速の画像が形成可能なインクジェット方式の画像形成装置。【解決手段】記録媒体の一方の面が外側に位置して巻回する第１回転ドラムと、他方の面が外側に位置して巻回する第２回転ドラムと、第１回転ドラムに巻回された記録媒体に印字すべく光硬化型インクを吐出する第１印字手段と、第２回転ドラムに巻回された記録媒体に印字すべく光硬化型インクを吐出する第２印字手段と、第１印字手段による印字面に光硬化型インクを硬化する第１定着手段と、第２印字手段による印字面に光硬化型インクを硬化する第２定着手段と、印字された記録媒体が頁順に揃うように記録媒体のトレイに排紙するように制御する制御手段と備えたインクジェット方式の画像形成装置。【選択図】        図１
2004216680.tif 000002
【特許請求の範囲】
【請求項１】
記録媒体の一方の面が外側に位置して巻回する第１回転ドラムと、
前記第１回転ドラムより搬送された記録媒体を前記記録媒体の他方の面が外側に位置して巻回する第２回転ドラムと、
前記第１回転ドラムに巻回された前記記録媒体に印字すべく光硬化型インクを吐出する第１印字手段と、
前記第２回転ドラムに巻回された前記記録媒体に印字すべく光硬化型インクを吐出する第２印字手段と、
前記第１印字手段による印字面に光硬化型インクを硬化する波長の光線を照射・定着する第１定着手段と、
前記第２印字手段による印字面に光硬化型インクを硬化する波長の光線を照射・定着する第２定着手段と、
印字された記録媒体が頁順に揃うように記録媒体のトレイに排紙するように制御する制御手段と、
を備えたことを特徴とするインクジェット方式の画像形成装置。
【請求項２】
請求項１に記載のインクジェット方式の画像形成装置において、前記制御手段は記録媒体の片面のみに印字する場合は第１印字手段または第２印字手段のいずれか一方のみで印字を行うことを特徴とするインクジェット方式の画像形成装置。
【請求項３】
前記制御手段は、記録媒体の片面のみに印字する場合は第１印字手段で記録媒体の頁順に印字するか、または第２印字手段で逆頁順に印字するすることを特徴とする請求項２に記載のインクジェット方式の画像形成装置。
【請求項４】
請求項１に記載のインクジェット方式の画像形成装置において、前記制御手段は記録媒体の両面に印字する場合は第１印字手段または第２印字手段のいずれか一方で記録媒体の表面に印字を行い、他方で前記記録媒体の裏面に印字を行うことを特徴とするインクジェット方式の画像形成装置。
【請求項５】
前記制御手段は、両面に印字された記録媒体をトレイに逆頁順に排紙する場合は第２印字手段で第１印字手段より記録媒体の大きい頁を印字、または、両面に印字された記録媒体をトレイに頁順に排紙する場合は第２印字手段で第１印字手段より記録媒体の小さい頁を印字することを特徴とする請求項４に記載のインクジェット方式の画像形成装置。
【請求項６】
前記制御手段は、印字された記録媒体が頁順に揃うようにトレイの底面より上方に記録媒体の頁順、または逆頁順に記録媒体をトレイへ排紙することを特徴とする請求項１に記載のインクジェット方式の画像形成装置。
【請求項７】
片面印字と両面印字とが印字可能であることを特徴とする請求項１から６のいずれか１項に記載のインクジェット方式の画像形成装置。
【請求項８】
第１定着手段と第２定着手段は、印字面に光線を走査させて照射・定着することを特徴とする請求項１から７のいずれか１項に記載のインクジェット方式の画像形成装置。
【請求項９】
第１定着手段と第２定着手段は、印字面に光を照射させるための光走査光学系の一部が共通であることを特徴とする請求項８に記載のインクジェット方式の画像形成装置。
【請求項１０】
２つの所定光源からのそれぞれの光線を回転する多面体反射鏡に照射し、前記多面体反射鏡で反射した走査光線により印字面に照射することを特徴とする請求項９に記載のインクジェット方式の画像形成装置。
【請求項１１】
２つの所定光源からのそれぞれの光線を揺動する反射鏡に照射し、前記反射鏡で反射した光線により印字面に照射することを特徴とする請求項９に記載のインクジェット方式の画像形成装置。
【請求項１２】
原稿の画像を読み取る画像読取部を備えたことを特徴とする請求項１から１１のいずれか１項に記載のインクジェット方式の画像形成装置。
【発明の詳細な説明】
【０００１】
【発明の属する技術分野】
本発明はインクジェット方式の画像形成装置に関し、特に記録媒体が所定の頁順に出力可能で、高精細画像で高速化に適したインクジェット方式の画像形成装置に関するものである。
【０００２】
【従来の技術】
カラー画像を読取装置で読み取り、この読み取った画像データに基づいて電子写真方式でカラー画像を形成する所謂デジタル複写機と言われる画像形成装置は、スキャナとＰＣ（パーソナルコンピュータ）とプリンタを使用して複写する方法に比べ、使用法が簡便であるため、広く普及している。
【０００３】
この電子写真方式でカラー画像を形成する場合、一般に二つの方式のどちらかが用いられる。一つはイエロー（以下Ｙと称す）、マゼンタ（以下Ｍと称す）、シアン（以下Ｃと称す）の各色と、黒（以下Ｂｋと称す）の４つの各単色画像をそれぞれ４つの感光体に形成し、中間転写体と呼ばれるものの上で重ね合わせて１枚の画像とし、この後に記録媒体に転写する所謂タンデム型と呼ばれる方式であり、もう一つは感光体上に感光体の１回転ごとにＹ、Ｍ、Ｃ、Ｂｋの各単色画像を重ね合わせ、即ち感光体の４回転で１枚のカラー画像を形成し、この後に記録媒体に転写する方式である。
【０００４】
一方、カラー画像形成をモノクロ画像形成と同様に短時間で得たいとの使用者の要望は年々増加しているが、上記の電子写真方式のカラー画像形成方法は、感光体若しくは中間転写体にカラー画像を作り、この後に記録媒体に転写するというプロセスとなるため、１枚の画像形成に時間を要し、更に記録媒体上の画像を定着する工程をその後方に配置せねばならず、これらを高速化するには、かなりの技術的困難が伴うものである。
【０００５】
また、従来の画像形成装置においては両面画像形成の場合、両面画像形成のために反転排紙機構が採用されているのが一般的である。しかし、この機構は制御が煩雑で、ジャム等の問題の原因となる。
【０００６】
これに対して、近年パーソナルユースでの普及の著しいインクジェット方式は、画像を記録媒体上に直接形成するため、上述のような複雑なプロセスを必要とせずに画像形成が可能である。しかし、インクジェット方式では印字ヘッドでインクを記録媒体に直接吹き付けるため、画像を固定するには記録媒体及び画像を充分乾燥させる必要があり、多数枚を画像形成した場合に排紙後の記録媒体が重なった部分では乾燥が不充分となって相互の接触により画像に乱れ（インクの転写や滲み）が生じるという問題がある。この問題は、インクに含有されたノズルの目詰まり防止のための添加物にも一因があると言われている。
【０００７】
この問題を解消するために、使用するインクを紫外線硬化型のインクとする提案がされている（例えば、特許文献１参照）。
【０００８】
また、紫外線硬化型のインクを用い、紫外線照射装置からの紫外光を光ファイバで印字ヘッド近傍に導き、記録媒体上にインクが着弾した位置に追従して照射し、個々の印字直後に硬化させることを目的としたインクジェットプリンタも提案されている（例えば、特許文献２参照）。
【０００９】
さらに、印字ヘッドを２つ備え、搬送路をＵ字型と８の字型にして連結し、両面印字と片面印字で搬送手順や印字順序を組み合わせることで、高速化を図ろうとするインクジェットプリンタも提案されている（例えば、特許文献３参照）。
【００１０】
【特許文献１】
特開２００１−１５８８６５号公報
【００１１】
【特許文献２】
特開２００２−１４４５５３号公報
【００１２】
【特許文献３】
特開２００１−３２８２９７号公報
【００１３】
【発明が解決しようとする課題】
前述の特許文献２においては、印字ヘッドを主走査方向（記録媒体搬送方向に直交する方向）に移動させつつ印字する場合には、適した方法の一つであるが、より高速化を図って印字ヘッドを主走査方向に線状に並べ、主走査方向の機械的移動なしに印字しようとした場合、紫外光を印字ヘッド同様に主走査方向に並べなくてはならず、コストの大幅な増大は避けられない。特に、記録媒体の両面に印字する場合、反転機構等が必要となり構造が複雑になるという問題もある。
【００１４】
また、前述の特許文献３においては、記録媒体搬送方向制御用の主動レバーを多数必要としており、更なる印字の高速化を図ると、この主動レバーの制御が非常に煩雑となり騒音だけでなく信頼性及び耐久性が問題となる。さらに、簡易で確実な方法により、片面または両面に印字された記録媒体が頁順に揃うように記録媒体のトレイに排紙する技術が望まれる。
【００１５】
本発明はかかる問題に鑑みてなされたものであり、より簡単な搬送経路及び搬送制御と画像形成順序の制御で、片面、両面を問わず記録媒体が頁順に揃って取り出すことができ、且つ高速の画像が形成可能なインクジェット方式の画像形成装置を提案することを目的とするものである。
【００１６】
【課題を解決するための手段】
上記目的は下記の手段のいずれかにより達成される。
【００１７】
（１）記録媒体の一方の面が外側に位置して巻回する第１回転ドラムと、
前記第１回転ドラムより搬送された記録媒体を前記記録媒体の他方の面が外側に位置して巻回する第２回転ドラムと、前記第１回転ドラムに巻回された前記記録媒体に印字すべく光硬化型インクを吐出する第１印字手段と、前記第２回転ドラムに巻回された前記記録媒体に印字すべく光硬化型インクを吐出する第２印字手段と、前記第１印字手段による印字面に光硬化型インクを硬化する波長の光線を照射・定着する第１定着手段と、前記第２印字手段による印字面に光硬化型インクを硬化する波長の光線を照射・定着する第２定着手段と、印字された記録媒体が頁順に揃うように記録媒体のトレイに排紙するように制御する制御手段と、を備えたことを特徴とするインクジェット方式の画像形成装置。
【００１８】
（２）前記（１）に記載のインクジェット方式の画像形成装置において、前記制御手段は記録媒体の片面のみに印字する場合は第１印字手段または第２印字手段のいずれか一方のみで印字を行うことを特徴とするインクジェット方式の画像形成装置。
【００１９】
（３）前記（１）に記載のインクジェット方式の画像形成装置において、前記制御手段は記録媒体の両面に印字する場合は第１印字手段または第２印字手段のいずれか一方で記録媒体の表面に印字を行い、他方で前記記録媒体の裏面に印字を行うことを特徴とするインクジェット方式の画像形成装置。
【００２０】
【発明の実施の形態】
以下に本発明に係わる実施の形態のインクジェット方式の画像形成装置について図を参照して説明する。実施の形態のインクジェット方式の画像形成装置は片面印字、両面印字可能な装置である。
【００２１】
先ず、画像形成装置の構成を図１の断面図に基づいて説明する。図１において、画像形成装置は、画像読取部ＧＹ、画像形成部ＧＫ、及び読み取った原稿画像の画像データについて画像処理及び各機構部の動作制御等を司る画像処理・制御部ＧＳで構成され、本実施の形態では画像処理・制御部ＧＳは画像形成部ＧＫ内に配置されている。
【００２２】
画像読取部ＧＹは、自動原稿搬送装置１０、読取光学装置２０、及び原稿台読取装置３０からなる。自動原稿搬送装置１０内には、搬送される原稿に近接して、結像光学系を介さずに画像読み取りを行う密着型の画像読取部１１と、この画像読取部１１の各色の校正を行うための白色基準板２４が配置され、図示しない移動機構により必要に応じ画像読取部１１の位置に移動するようになっている。この白色基準板２４は、電源投入時や読み取り動作前に必要に応じて移動し、ホワイトバランス調整やシェーディング補正のために用いられる。
【００２３】
読取光学装置２０及び原稿台読取装置３０は、従来の複写機等で採用されている読取装置と同様のもので、前述の密着型の画像読取部１１で読取る面と異なる他方の面を読み取るよう構成されており、画像読取位置に搬送されて通過中の原稿に対して、静止状態の光源２２により光照射を行う原稿移動読取機能と、自動原稿搬送装置１０を用いずに原稿台ガラス（プラテンガラス）３１上に載置した原稿に対して、光源２２等を移動させて光照射を行う光学系移動読取機能との二つの機能からなる。なお、光学読取装置２０にも同様に白色基準板２５が配置されている。
【００２４】
画像形成部ＧＫには、記録媒体を収納する収納トレイ１２ａ、１２ｂ、記録媒体搬送路１３、１４、１５、１６、１７が設けられている。
【００２５】
搬送路１４の方向には、矢印方向に回転する記録媒体支持ドラムＡ４１（第１回転ドラム）と、記録媒体搬送方向と直交する方向、即ち主走査方向に光硬化型のインクを吐出する複数のノズルを有するラインタイプの印字ヘッドＡ４２（第１印字手段）が配置され、搬送路１５の方向には、矢印方向に回転する記録媒体支持ドラムＢ４３（第２回転ドラム）と、印字ヘッドＡ４２と同様の印字ヘッドＢ４４（第２印字手段）が配置されている。この記録媒体支持ドラムＡ４１と記録媒体支持ドラムＢ４３はそれぞれ記録媒体を巻き付けて図示の矢印方向に回転し、印字ヘッドＡ４２と印字ヘッドＢ４４により、光硬化型のインクを用いて画像形成（印字）がなされる。
【００２６】
なお、光硬化型のインクとして、顔料の他に例えば高分子化合物の前駆体となるモノマー、光触媒反応により該モノマーの架橋、重合反応を進行させる光重合開始剤、光重合促進剤等を含んで組成され、紫外線等の光照射によりモノマーが架橋、重合することで硬化する性質を有する光硬化型インクを用いる。例えば、特公平５−５４６６７号、特開平６−２００２０４号、特表２０００−５０４７７８において、紫外線硬化型インクジェット用インクが開示されているが、紫外線硬化型に限らず、赤外線、可視光線の照射により硬化する性質のインクを用いるものとしてもよい。
【００２７】
更に、インク色としては、Ｒ・Ｇ・Ｂから変換された基本再現色であるＹ・Ｍ・Ｃ・Ｂｋに加え、淡いマゼンタ（ＬＭ）、淡いシアン（ＬＣ）、淡い黒（ＬＢｋ）、濃いイエロー（ＤＹ）やオレンジ色のインクを使用することも望ましいが、これらは要求画像の仕様に応じて選択されるものであり、ユーザーの仕様設定により特色の追加対応も可能である。
【００２８】
この後、記録媒体支持ドラムＡ４１及び記録媒体支持ドラムＢ４３上で画像形成された記録媒体に、光硬化型インクを硬化する波長の光線を各々照射し、光硬化型インクを硬化させる。
【００２９】
光源Ａ５１の発する光線の照射は、回転する多面体ミラー５５とその前後に配置した光学系５３と反射鏡５８により行われる。このとき、所定の回転数で回転する多面体ミラー５５により反射した光線は、記録媒体支持ドラムＡ４１における記録媒体搬送方向と直交する主走査方向に光走査され、巻き付けられた記録媒体の印字面に所定のスポット径で照射される（第１定着手段）。同様に、光源Ｂ５２の発する光線の照射は、多面体ミラー５５とその前後に配置した光学系５４と反射鏡５９により行われ、多面体ミラー５５により反射した光線は、記録媒体支持ドラムＢ４３における記録媒体搬送方向と直交する主走査方向に光走査され、巻き付けられた記録媒体の印字面に所定のスポット径で照射される（第２定着手段）。
【００３０】
ここで、光源の光学系について図２の斜視図に基づいて詳述する。
光源Ａ５１からの出力光はコリメーターレンズ５１１によって平行光になり、第１シリンドリカルレンズ５１２を透過して補正され、回転する多面体ミラー５５にて偏向される。多面体ミラー５５にて偏向された光線はＦθレンズ５１３及び第２シリンドリカルレンズ５１４を透過して補正された後、反射鏡５８にて反射され、記録媒体支持ドラムＡ４１に照射する光路を形成する。
【００３１】
なお、図示していないが、光源Ｂ５２及び上述の光学系と同一の光学系が多面体ミラー５５を中心にした対称位置に設けられていて、光源Ｂ５２からの光線が多面体ミラー５５にて偏向され、同様のＦθレンズ及び第２シリンドリカルレンズを透過して補正された後、反射鏡５９にて反射され、記録媒体支持ドラムＢ４３に照射する光路を形成する。
【００３２】
また、記録媒体支持ドラムに照射する光学系としては、必ずしも多面体ミラーを用いずとも構成可能であり、この一例を図３に基づいて説明する。図３は他の形態の光学系の斜視図である。
【００３３】
図３において、反射鏡１３１が支持部材１３２に貼着されており、支持部材１３２は支軸１３３により回動自在に軸支されている。また、ステッピングモータ１３４の回転軸には円盤１３５が取り付けられており、円盤１３５にはピン１３６が立設している。そして、ピン１３６が支持部材１３２に形成された切り欠き１３２ａに係合している。
【００３４】
これにより、ステッピングモータ１３４が回転すると、円盤１３５が回転し、ピン１３６も回転するので、支持部材１３２は支軸１３３を中心に揺動する。従って、反射鏡１３１も矢印方向に揺動する。依って、図示していない光源からの光線を反射鏡１３１にて反射させれば、その反射光を記録媒体支持ドラム上で主走査方向に光走査することができる。
【００３５】
更に、ハーフミラーやプリズムからなるビームスプリッタを用いれば、一つの光源からの光線を二分割して多面体ミラー５５や反射鏡１３１に入射させることができる。また、多面体ミラー５５や反射鏡１３１からなる光学系からの出射光線が一つであっても、ビームスプリッタで出射光線を二分割して二つの記録媒体支持ドラムに照射することができる。
【００３６】
なお、上記光学系の光源は、特定の波長領域の例えば紫外線の場合、安定した照射エネルギーで発光する紫外線ランプ及び特定の波長の紫外線をスポット光にして透過するフィルターを備えて構成される。ここで、紫外線ランプとしては、水銀ランプ、メタルハライドランプ、エキシマーレーザー、紫外線レーザー、ブラックライト、ＬＥＤ（ｌｉｇｈｔ  ｅｍｉｔｔｉｎｇ  ｄｉｏｄｅ）等が適用可能であり、メタルハライドランプ管、水銀ランプ管もしくはブラックライトが好ましい。特に波長２５０ｎｍの紫外線を発光するブラックライトが滲み防止、ドット径制御を効率よく行なえるため、好ましい。
【００３７】
また、光源は画像処理・制御部ＧＳの記憶部に記憶されているライン毎の画像信号に対応して点灯し、全く画像信号がないラインに対しては点灯しない。
【００３８】
図４は光硬化型インクにより記録媒体支持ドラムＡ４１及び記録媒体支持ドラムＢ４３上の記録媒体に記録された画像に対する光照射のイメージを示す図である。
【００３９】
光照射したスポット光は副走査方向に縦長に形成されており、記録媒体支持ドラムＡ４１及び記録媒体支持ドラムＢ４３の回転により副走査方向に照射位置が移動するが、このスポット光が所定の値でオーバーラップするように、主走査方向への照射を繰り返す。
【００４０】
そして、図２に示す如く、第２シリンドリカルレンズ５１４を透過した光線は反射鏡５１５にて反射して光量検知センサ５１６に入射し、所定の時間内に所定の回数の主走査方向への照射が行われるが、記録媒体支持ドラムＡ４１及び記録媒体支持ドラムＢ４３上の記録媒体に印字した光硬化型インクを硬化するのに充分な光量になるように光源制御部５６、５７により制御される。
【００４１】
このようにして、画像形成された記録媒体はそれぞれ搬送路１７を経由して排紙トレイ４５へ排紙される。
【００４２】
図５は、図１に示した画像形成装置の概略ブロック図である。図１でも説明したように本発明の画像形成装置は、その機能により画像読取部ＧＹ、画像処理・制御部ＧＳ、画像形成部ＧＫに大別される。
【００４３】
これらは、画像処理・制御部ＧＳ内の全体制御部（Ｍ−ＣＰＵ）２１１と画像読取部ＧＹ内の読取制御部（Ｓ−ＣＰＵ１）２１２、画像形成部ＧＫ内の画像形成制御部（Ｓ−ＣＰＵ２）２１３とユニット間で接続され、通信を行うことで各ユニットを有機的に連携動作させるようになっている。
【００４４】
画像読取部ＧＹは、読取装置の駆動と読取光源等の制御を行う駆動・読取光源制御部２１４、原稿の一方の面を読み取るための第１読取部（図１の密着型の読取部１１に相当）２１５と、他方の面を読み取るための第２読取部（図１の読取光学装置２０に相当）２１６は、それぞれ読取制御部２１２により制御される。更に、読み取った原稿の画像データを画像処理・制御部ＧＳの画像データ入出力Ｉ／Ｆ２１８へ転送する読取信号出力Ｉ／Ｆ２１７で構成される。
【００４５】
画像処理・制御部ＧＳは、全体制御部２１１の制御のもとで、画像読取部ＧＹで得られた画像データを受け取る画像データ入出力Ｉ／Ｆ２１８と、転送された画像データをページ単位で圧縮して記憶し、更に圧縮された画像データを伸張するところの記憶部及び圧縮・伸張部２１９が設けられる。ここでの圧縮・伸張手段としては公知のＪＰＥＧ、ＪＰＥＧ２０００、ＪＢＩＧ等が用いられる。オペレータが枚数、部数等の入力を行う外部入力手段２２０、得られた画像データを画像出力形式に適応するようデータを変換する画像処理部２２１、画像処理部２２１で変換された画像データを画像形成部ＧＫの画像形成部へ出力する画像形成信号出力Ｉ／Ｆ２２２で構成されている。また、デジタルカメラで撮影した画像や他の読取装置で読み取った画像データを取り込んだり、外部の機器からの命令による画像形成を行う外部Ｉ／Ｆ及びプリンタコントローラ２２３で構成される。
【００４６】
画像形成部ＧＫは、画像形成制御部２１３の制御のもとで、画像形成信号出力Ｉ／Ｆ２２２からの信号に従って画像形成を行う第１画像形成部（図１の記録媒体支持ドラムＡ４１及び印字ヘッドＡ４２周辺に相当）２２４、同様に第２画像形成部（図１の記録媒体支持ドラムＢ４３及び印字ヘッドＢ４４周辺に相当）２２５と、記録媒体の搬送及び切換ゲート１８の制御とインク硬化光源制御を行う記録媒体搬送制御部・インク硬化光源制御部２２６で構成されている。
【００４７】
次に、図６を用いて記録媒体支持ドラムＡ及び記録媒体支持ドラムＢ周辺の動作について説明する。図６は、画像形成部の搬送路と印字部の要部断面図である。
【００４８】
図中に、２重丸で示したものは搬送ローラ、ＰＳ１〜ＰＳ４は記録媒体の先端、後端及び記録媒体有無を検出するセンサ（本実施の形態ではフォトリフレクタで構成）、４１１と４１３は帯電器、４１２と４１４は除電器である。
【００４９】
先ず、記録媒体は前述の収納トレイ１２ａ若しくは収納トレイ１２ｂから搬送されて搬送路１３へ導かれる。その後、搬送路１４へ導かれた記録媒体は、矢印に示す方向に導かれ、センサＰＳ１が記録媒体の先端を検出すると帯電器４１１がオンされ、記録媒体を帯電させる。前述と同様に記録媒体は、記録媒体支持ドラムＡ４１上に巻き付き、印字ヘッドＡ４２方向へ回転（図示矢印方向）する。この後、センサＰＳ２が記録媒体先端を検知すると、この先端検知位置から所定の回転角の回転後より、印字ヘッドＡ４２で印字を開始する。印字ヘッドＡ４２は、図５に示すところの記憶部及び圧縮・伸張部２１９に圧縮して記憶された画像データを伸張し、その後画像処理部２２１で画像処理された後の画像データで画像形成が行われる。なお、制御により印字させない場合もあるが詳しくは後述する。
【００５０】
一方、帯電器４１１は、センサＰＳ１が記録媒体後端を検出した後、既に記録媒体全面が帯電器を通過したと想定される所定の時間後にオフされる。また、除電器４１２は、センサＰＳ２が記録媒体先端を検知した後、この先端検知位置から所定の回転角の回転後、記録媒体先端が除電器４１２に到達する以前にオンされる。
【００５１】
記録媒体支持ドラムＡ４１の回転により、印字ヘッド部を通過して画像形成された記録媒体は、照射光路４１５を矢印で示した紫外線等の光線で前述の走査が行われ、印字ヘッドＡ４２で紫外線硬化型インクにて形成された画像が硬化され、画像として定着する。上記の動作を実行しつつ記録媒体支持ドラムＡ４１は回転を続け、記録媒体は除電器４１２の位置で、除電され分離爪４１７により記録媒体支持ドラムＡ４１から分離し、搬送路１５へ導かれる。
【００５２】
搬送路１５へ導かれた記録媒体は、矢印に示す方向に導かれ、センサＰＳ３が記録媒体の先端を検出すると帯電器４１３がオンされ、記録媒体を帯電させる。前述と同様に記録媒体は、記録媒体支持ドラムＢ４３上に巻き付き、印字ヘッドＢ４４方向へ回転（図示矢印方向）する。この後、センサＰＳ４が記録媒体先端を検知すると、この先端検知位置から所定の回転角の回転後より、印字ヘッドＢ４４で印字を開始する。印字ヘッドＢ４４は、図５に示すところの記憶部及び圧縮・伸張部２１９に圧縮して記憶された画像データを伸張し、その後画像処理部２２１で画像処理された後の画像データで画像形成が行われる。なお、制御により印字させない場合もあるが詳しくは後述する。
【００５３】
一方、帯電器４１３は、センサＰＳ３が記録媒体後端を検出した後、既に記録媒体全面が帯電器を通過したと想定される所定の時間後にオフされる。また、除電器４１４は、センサＰＳ４が記録媒体先端を検知した後、この先端検知位置から所定の回転角の回転後、記録媒体先端が除電器４１４に到達する以前にオンされる。
【００５４】
記録媒体支持ドラムＢ４３の回転により、印字ヘッド部を通過して画像形成された記録媒体は、照射光路４１６を矢印で示した紫外線等の光線で前述の走査が行われ、印字ヘッドＢ４４で紫外線硬化型インクにて形成された画像が硬化され、画像として定着する。
【００５５】
上記の動作を実行しつつ記録媒体支持ドラムＢ４４は回転を続け、記録媒体は除電器４１４の位置で、除電され分離爪４１８により記録媒体支持ドラムＢ４３から分離し、搬送路１７へ導かれる。なお、記録媒体の除電については、上記構成に除電ブラシ等を追加してもよい。
【００５６】
次に、以上の構成によりインクジェット方式の画像形成装置における両面・片面の画像を形成するときの作動についてそれぞれ説明する。
【００５７】
（作動例１）
これは両面の画像を形成しトレイの底面より頁順に重ね、記録媒体を頁順に揃える作動例である。具体例として１頁から４頁まである場合の動作説明をするが、それ以上でも同様である。
【００５８】
作動の説明に先立ち、各工程における記録媒体の印字状態を説明する。図７は各工程での記録媒体の印字有無、印字内容の説明図、図８はトレイに排紙された両面印字の記録媒体の頁配列状態を示す斜視図である。
【００５９】
図７（ａ−１）は第１回転ドラムで１枚目である記録媒体１Ｐの２頁目が印字された状態を示す図、図７（ａ−２）は第２回転ドラムで記録媒体１Ｐの１頁目が印字される前の白紙状態を示す図、図７（ａ−３）は第２回転ドラムで記録媒体１Ｐの１頁目が印字された状態を示す図である。同様にして、図７（ｂ−１）は第１回転ドラムで２枚目である記録媒体２Ｐの４頁目が印字された状態を示す図、図７（ｂ−２）は第２回転ドラムで記録媒体２Ｐの印字前の白紙状態を示す図、図７（ｂ−３）は第２回転ドラムで記録媒体２Ｐの３頁目が印字された状態を示す図である。図７（ｃ）はトレイ４５に記録媒体が底面より記録媒体１Ｐ、記録媒体２Ｐの順で排紙され状態を示す図である。
【００６０】
さらに、トレイの記録媒体の排紙状態を図８で説明する。記録媒体は記録媒体１Ｐの上に記録媒体２Ｐが排紙され、頁順は図８のようになっている。
【００６１】
ここで、作動の説明を主に図６、図７及び図８を参照して動作を説明する。先ず、記録媒体１Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体１Ｐの一方の面（裏面）に２頁目の画像形成・インク硬化が行われる。続いて、その記録媒体１Ｐは搬送路１４の除電器４１２で除電された後、搬送路１５を通過して、記録媒体支持ドラムＢ４３（第２回転ドラム）に巻き付けられ、記録媒体支持ドラムＢ４３上で記録媒体１Ｐの他方の面（表面）に１頁目の画像形成・インク硬化が行われる。その後、両面の画像形成が終了した記録媒体は搬送路１７を通過して、記録媒体１Ｐの１頁目を下にして前述の排紙トレイ４５へ排紙される。
【００６２】
同様にして、記録媒体２Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体２Ｐの一方の面（裏面）に４頁目の画像形成・インク硬化が行われる。続いて、その記録媒体２Ｐは搬送路１４の帯電器４１２で除電された後、搬送路１５を通過して、記録媒体支持ドラムＢ４３（第２回転ドラム）に巻き付けられ、記録媒体支持ドラムＢ４３上で記録媒体２Ｐの他方の面（表面）に３頁目の画像形成・インク硬化が行われる。その後、両面の画像形成が終了した記録媒体は搬送路１７を通過して、記録媒体２Ｐの３頁目を下にして前述の排紙トレイ４５へ排紙される。
【００６３】
以上により、両面画像を形成し頁順に揃えられた記録媒体の束が作成される。
（作動例２）
これは両面の画像を形成しトレイの底面より逆頁順に重ね、記録媒体を頁順に揃える作動例である。具体例として１頁から４頁まである場合の動作説明をするが、それ以上でも同様である。
【００６４】
作動の説明に先立ち、各工程における記録媒体の印字状態を説明する。
図９は各工程での記録媒体の印字有無、印字内容の説明図、図１０はトレイに排紙された両面印字の記録媒体の頁配列状態を示す斜視図である。
【００６５】
図９（ａ−１）は第１回転ドラムで１枚目である記録媒体１Ｐの３頁目が印字された状態を示す図、図９（ａ−２）は第２回転ドラムで記録媒体１Ｐの印字される前の白紙状態を示す図、図９（ａ−３）は第２回転ドラムで記録媒体１Ｐの４頁目が印字された状態を示す図である。同様にして、図９（ｂ−１）は第１回転ドラムで２枚目である記録媒体２Ｐの１頁目が印字された状態を示す図、図９（ｂ−２）は第２回転ドラムで記録媒体２Ｐの印字前の白紙状態を示す図、図９（ｂ−３）は第２回転ドラムで記録媒体２Ｐの２頁目が印字された状態を示す図である。図９（ｃ）はトレイ４５に記録媒体が底面より記録媒体１Ｐ、記録媒体２Ｐの順で排紙され状態を示す図である。
【００６６】
さらに、トレイの記録媒体の排紙状態を図１０で説明する。記録媒体は記録媒体１Ｐの上に記録媒体２Ｐが排紙され、頁順は図１０のようになっている。
【００６７】
ここで、作動の説明を主に図６、図９及び図１０を参照して動作を説明する。先ず、記録媒体１Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体１Ｐの一方の面（表面）に３頁目の画像形成・インク硬化が行われる。続いて、その記録媒体１Ｐは搬送路１４の除電器４１２で除電された後、搬送路１５を通過して、記録媒体支持ドラムＢ４３（第２回転ドラム）に巻き付けられ、記録媒体支持ドラムＢ４３上で記録媒体１Ｐの他方の面（裏面）に４頁目の画像形成・インク硬化が行われる。その後、両面の画像形成が終了した記録媒体は搬送路１７を通過して、記録媒体１Ｐの４頁目を下にして前述の排紙トレイ４５へ排紙される。
【００６８】
同様にして、記録媒体２Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体２Ｐの一方の面（表面）に１頁目の画像形成・インク硬化が行われる。続いて、その記録媒体２Ｐは搬送路１４の帯電器４１２で除電された後、搬送路１５を通過して、記録媒体支持ドラムＢ４３（第２回転ドラム）に巻き付けられ、記録媒体支持ドラムＢ４３上で記録媒体２Ｐの他方の面（裏面）に２頁目の画像形成・インク硬化が行われる。その後、両面の画像形成が終了した記録媒体は搬送路１７を通過して、記録媒体２Ｐの２頁目を下にして前述の排紙トレイ４５へ排紙される。
【００６９】
以上により、両面画像を形成し頁順に揃えられた記録媒体の束が作成される。
（作動例３）
これは片面の画像を形成しトレイの底面より逆頁順に重ね、記録媒体を頁順に揃える作動例である。具体例として１頁から２頁まである場合の動作説明をするが、それ以上でも同様である。
【００７０】
作動の説明に先立ち、各工程における記録媒体の印字状態を説明する。図１１は各工程での記録媒体の印字有無、印字内容の説明図、図１２はトレイに排紙された片面印字の記録媒体の頁配列状態を示す斜視図である。
【００７１】
図１１（ａ−１）は第１回転ドラムで１枚目である記録媒体１Ｐの２頁目が印字された状態を示す図、図１１（ａ−２）は第２回転ドラムで記録媒体１Ｐの白紙状態を示す図である。同様にして、図１１（ｂ−１）は第１回転ドラムで２枚目である記録媒体２Ｐの１頁目が印字された状態を示す図、図１１（ｂ−２）は第２回転ドラムで記録媒体２Ｐの白紙状態を示す図を示す図である。図１１（ｃ）はトレイ４５に記録媒体が底面より記録媒体１Ｐ、記録媒体２Ｐの順で排紙され状態を示す図である。
【００７２】
さらに、トレイの記録媒体の排紙状態を図８により示す。記録媒体は記録媒体１Ｐの上に記録媒体２Ｐが排紙され、頁順は図８のようになっている。
【００７３】
ここで、作動の説明を主に図６、図１１及び図１８を参照して動作を説明する。先ず、記録媒体１Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体１Ｐの一方の面（表面）に２頁目の画像形成・インク硬化が行われる。続いて、その記録媒体１Ｐは搬送路１４の除電器４１２で除電された後、搬送路１５を通過して、記録媒体支持ドラムＢ４３（第２回転ドラム）に巻き付けられ、記録媒体支持ドラムＢ４３上で記録媒体１Ｐの他方の面（裏面）には画像形成されない。その後、片面の画像形成が終了した記録媒体は搬送路１７を通過して、記録媒体１Ｐの２頁目を上にして前述の排紙トレイ４５へ排紙される。
【００７４】
同様にして、記録媒体２Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体２Ｐの一方の面（表面）に１頁目の画像形成・インク硬化が行われる。続いて、その記録媒体２Ｐは搬送路１４の帯電器４１２で除電された後、搬送路１５を通過して、記録媒体支持ドラムＢ４３（第２回転ドラム）に巻き付けられ、記録媒体支持ドラムＢ４３上で記録媒体２Ｐの他方の面（裏面）には画像形成されない。その後、片面の画像形成が終了した記録媒体は搬送路１７を通過して、記録媒体２Ｐの１頁目を上にして前述の排紙トレイ４５へ排紙される。
【００７５】
以上により、片面画像を形成し頁順に揃えられた記録媒体の束が作成される。
（作動例４）
これは片面の画像を形成しトレイの底面より頁順に重ね、記録媒体を頁順に揃える作動例である。具体例として１頁から２頁までについて説明するが、それ以上でも同様である。
【００７６】
主に図６を参照して動作を説明する。先ず、記録媒体１Ｐは搬送路１３から搬送路１４へ搬送され、帯電器４１１で帯電された後、記録媒体支持ドラムＡ４１（第１回転ドラム）へ巻き付けられ、記録媒体支持ドラム４１上で記録媒体１Ｐの一方の面（裏面）には画像形成されない。続いて、その記録媒体１Ｐは搬送路１４の除電器４１２で除電された後、搬送路１５を通過して、記録媒体支持ドラムＢ４３（第２回転ドラム）に巻き付けられ、記録媒体支持ドラムＢ４３上で記録媒体１Ｐの他方の面（表面）に１頁目の画像形成・インク硬化が行われる。その後、片面の画像形成が終了した記録媒体は搬送路１７を通過して、記録媒体１Ｐの１頁目を下にして前述の排紙トレイ４５へ排紙される。
【００７７】
同様にして、記録媒体２Ｐは搬送路１３から搬送路１４へ搬送され、帯電器４１１で帯電された後、記録媒体支持ドラムＡ４１（第１回転ドラム）へ巻き付けられ、記録媒体支持ドラムＡ４１上で記録媒体２Ｐの一方の面（裏面）には画像形成されない。続いて、その記録媒体２Ｐは搬送路１４の帯電器４１２で除電された後、搬送路１５を通過して、記録媒体支持ドラムＢ４３（第２回転ドラム）に巻き付けられ、記録媒体支持ドラムＢ４３上で記録媒体２Ｐの他方の面（表面）に２頁目の画像形成・インク硬化が行われる。その後、片面の画像形成が終了した記録媒体は搬送路１７を通過して、記録媒体２Ｐの２頁目を下にして前述の排紙トレイ４５へ排紙される。
【００７８】
以上により、片面画像を形成し頁順に揃えられた記録媒体の束が作成される。
【００７９】
【発明の効果】
以上のように構成したので下記のような効果を奏する。
【００８０】
請求項１に記載の発明によれば、より簡単な搬送経路及び搬送制御と画像形成順序の制御で、片面、両面を問わず記録媒体が頁順に揃って取り出すことができ、且つ高速の画像が形成可能なインクジェット方式の画像形成装置となる。
【００８１】
請求項２、３に記載の発明によれば、より簡単な搬送経路及び搬送制御と画像形成順序の制御で、両面で記録媒体が頁順に揃って取り出すことができ、且つ高速の画像が形成可能なインクジェット方式の画像形成装置となる。
【００８２】
請求項４、５に記載の発明によれば、より簡単な搬送経路及び搬送制御と画像形成順序の制御で、片面で記録媒体が頁順に揃って取り出すことができ、且つ高速の画像が形成可能なインクジェット方式の画像形成装置となる。
【図面の簡単な説明】
【図１】画像形成装置の構成を示す断面図である。
【図２】光源の光学系の斜視図である。
【図３】他の形態の光源の光学系の斜視図である。
【図４】記録媒体に記録された画像に対する光照射のイメージを示す図である。
【図５】画像形成装置の概略ブロック図である。
【図６】画像形成部の搬送路と印字部の要部断面図である。
【図７】各工程での記録媒体の印字有無、印字内容の説明図である。
【図８】トレイに排紙された片面印字の記録媒体の頁配列状態を示す斜視図である。
【図９】各工程での記録媒体の印字有無、印字内容の説明図である。
【図１０】トレイに排紙された両面印字の記録媒体の頁配列状態を示す斜視図である。
【図１１】各工程での記録媒体の印字有無、印字内容の説明図である。
【図１２】トレイに排紙された片面印字の記録媒体の頁配列状態を示す斜視図である。
【符号の説明】
４１  記録媒体支持ドラムＡ（第１回転ドラム）
４２  印字ヘッドＡ（第１印字手段）
４３  記録媒体支持ドラムＢ（第２回転ドラム）
４４  印字ヘッドＢ（第２印字手段）
Ｐ  記録媒体
４５  トレイ
【図１】
2004216680.tif 000003
【図２】
2004216680.tif 000004
【図３】
2004216680.tif 000005
【図４】
2004216680.tif 000006
【図５】
2004216680.tif 000007
【図６】
2004216680.tif 000008
【図７】
2004216680.tif 000009
【図８】
2004216680.tif 000010
【図９】
2004216680.tif 000011
【図１０】
2004216680.tif 000012
【図１１】
2004216680.tif 000013
【図１２】
2004216680.tif 000014